(57)【要約】【課題】  ずれ上がりを防ぎ、かつ、ヒップアップ効果を有するボトム衣類を提供する。【解決手段】  本発明のボトム衣類１０００は、本体領域１００と、補整領域２００と、一対の裾領域３００と、を含み、本体領域１００は、着用時において、臀部を覆う後部分１１０と、後部分１１０に向かい合う前部分１２０とで構成され、補整領域２００は、着用時において、臀溝に沿うように配置されており、一対の裾領域の各裾領域３００は、着用時において、後裾周りを形成するように、補整領域２００の下方側に配置されており、補整領域２００は、前記臀溝に沿う方向、及び、前記臀溝に沿う方向に略垂直な方向の双方に、伸縮可能であることを特徴とする。【選択図】  図１
2016094675.tif 000002
【特許請求の範囲】
【請求項１】
ボトム衣類であって、
本体領域と、補整領域と、一対の裾領域と、を含み、
前記本体領域は、着用時において、臀部を覆う後部分と、前記後部分に向かい合う前部分とで構成され、
前記補整領域は、着用時において、臀溝に沿うように配置されており、
前記一対の裾領域の各裾領域は、着用時において、後裾周りを形成するように、前記補整領域の下方側に配置されており、
前記補整領域は、前記臀溝に沿う方向、及び、前記臀溝に沿う方向に略垂直な方向の双方に、伸縮可能であることを特徴とするボトム衣類。
【請求項２】
前記一対の裾領域の各裾領域は、上辺及び下辺を含み、
前記上辺及び前記下辺の後中心線側端点が一致しない請求項１記載のボトム衣類。
【請求項３】
前記一対の裾領域の各裾領域は、上辺及び下辺を含み、
前記上辺は、前記補整領域及び前記各裾領域の境界線に相当し、
前記下辺は、外側に向かって、凸状となるカーブを含み、
着用時において、前記上辺の全長ｂに対する、前記下辺の後中心線側端点と前記カーブの最大突出点との距離Ｘの比率（Ｘ／ｂ）が、下記（１）の条件を満たし、且つ、
着用時において、前記ｂに対する、前記カーブの最大突出点における前記上辺への短手方向の長さＹの比率（Ｙ／ｂ）が、下記（２）の条件を満たしている請求項１又は２記載のボトム衣類。
（１）  ０．３５≦Ｘ／ｂ≦０．４０
（２）  ０．１０≦Ｙ／ｂ≦０．１５
【請求項４】
前記補整領域の前側端部は、着用時において、脇線より前側に位置している請求項１〜３のいずれか一項に記載のボトム衣類。
【請求項５】
前記各領域は、それぞれ同一又は異なる部材から形成されており、
前記各領域に対応した各部材が縫合により、一体化されている請求項１〜４のいずれか一項に記載のボトム衣類。
【請求項６】
衣類がショーツである請求項１〜５のいずれか一項に記載のボトム衣類。
【発明の詳細な説明】
【技術分野】
【０００１】
本発明は、ボトム衣類に関する。
【背景技術】
【０００２】
従来のヒップアップ効果を有するショーツ及びガードル等のボトム衣類では、動いているうちに裾から臀部がはみ出し、裾部分がずれ上がって臀部へ食い込み、段差が生じやすかった。そのため、着用時に違和感があり、かつ、前記段差が、アウターを通して外観できる状態（アウターにひびく状態）となっていた。そこで、ボトム衣類において、例えば、ウエスト布から股部へと垂下する前面中央布と、左右両側に傾斜させるヒップ支持布とをＹ字に連結させ、前記ヒップ支持布に、臀溝に沿わせて芯材を取り付けることにより、挙動時において、臀溝の動きに対してヒップ支持布が伸縮して追従して動き、芯材も、臀溝の皮膚とともに移動し、臀部のはみ出し、食い込みによる段差を防止する技術が提案されている（例えば、特許文献１参照）。
【先行技術文献】
【特許文献】
【０００３】
【特許文献１】特開２００５−１１３２８５号公報
【発明の概要】
【発明が解決しようとする課題】
【０００４】
しかし、前記技術によっても、ずれ上がりや食い込みの防止は十分とは言えず、着用者の動作や姿勢の変化が大きい場合等には、これらを防ぐことができなかった。そして、ずれ上がりや食い込みは気になるものではあるが、身体の動きにともなってこれらが生じることは仕方がないことであるとの認識が持たれていた。
【０００５】
そこで、本発明は、ずれ上がりを防ぎ、かつ、ヒップアップ効果を有するボトム衣類を提供することを目的とする。
【課題を解決するための手段】
【０００６】
前記目的を達成するために、本発明のボトム衣類は、
本体領域と、補整領域と、一対の裾領域と、を含み、
前記本体領域は、着用時において、臀部を覆う後部分と、前記後部分に向かい合う前部分とで構成され、
前記補整領域は、着用時において、臀溝に沿うように配置されており、
前記一対の裾領域の各裾領域は、着用時において、後裾周りを形成するように、前記補整領域の下方側に配置されており、
前記補整領域は、前記臀溝に沿う方向、及び、前記臀溝に沿う方向に略垂直な方向の双方に、伸縮可能であることを特徴とする。
【発明の効果】
【０００７】
本発明によれば、裾部分のずれ上がりを防止することができる。また、本発明によれば、ヒップアップ効果を得ることができる。
【図面の簡単な説明】
【０００８】
【図１】図１は、本発明のボトム衣類の第１の実施形態に係るショーツ１０００を示す。図１（ａ）は、ショーツ１０００の正面図を示し、図１（ｂ）は、ショーツ１０００の背面図を示し、図１（ｃ）は、図１（ｂ）の点線Ｚで囲まれた領域を平置きにした図を示す。
【図２】図２（ａ）〜（ｃ）は、それぞれ、着用時における、図１のショーツ１０００の正面図、側面図、及び背面図を示す。図２（ｄ）は、着用時における、図１のショーツ１０００の上方向から見た正面斜視図を示す。図２（ｅ）は、着用時における、図１のショーツ１０００の下方向から見た側面斜視図を示す。
【図３】図３（ａ）は、前屈時の臀溝周辺の動きを示す図であり、図３（ｂ）は、ショーツ１０００を着用した場合の前屈時の補整領域２００の動きを示す図である。
【図４】図４（ａ）は、片脚上げ時の臀溝周辺の動きを示す図であり、図４（ｂ）は、ショーツ１０００を着用した場合の片脚上げ時の補整領域２００の動きを示す図である。
【図５】図５は、本発明のボトム衣類の第１の実施形態に係るショーツ２０００を示す。図５（ａ）は、ショーツ２０００の正面図を示し、図５（ｂ）は、ショーツ２０００の背面図を示す。
【図６】図６は、着用評価における臀部の状態を示す図である。
【図７】図７は、臀部の皮膚の伸び率を測定した図である。
【発明を実施するための形態】
【０００９】
本発明者らは、ショーツ等のずれ上がりの原因を解明するため、鋭意研究を行った。その結果、臀裂近傍の臀溝周辺の皮膚が、非常に伸びやすいことが判明した。そして、ずれ上がりの原因は、ショーツ等の裾部分が、着用者の動作や姿勢変化にともなう前記臀裂近傍の臀溝周辺の皮膚の伸縮に十分に追随できないことにあることがわかった。図７は、臀部の皮膚の伸び率を測定した図である。図７の上側左図は、測定時における静止状態（直立）を示す図であり、上側右図は、右脚を上げた状態を示す図である。図７において、上側の臀部の図に表した格子状のラインと、表のラインとは対応しており、表中の数字は、直立状態に対する右脚を上げた状態の皮膚の伸び率を表している。図７に示すように、太線で示した臀裂近傍の臀溝周辺の皮膚の伸び率は著しく大きく、縦は１３６％、横は１４８％伸びている。一方、臀裂および臀溝から離れた部分は、縦は１２０％程度、横は１０５％程度であり、伸び率はそれほど大きくない。そこで、本発明者らは、後述の通り、ボトム衣類について、臀溝に沿って、臀溝に沿う方向及び臀溝に沿う方向に略垂直な方向に伸縮可能な前記補整領域を配置し、本体領域及び裾領域と連結させることで、皮膚の伸縮率の大きい部分に補整領域を追随させることができ、また、前記補整領域に本体領域及び裾領域が連動することで、裾のずれ上がりを効果的に防止できることを見出し、本発明を完成するに至った。
【００１０】
以下、本発明のボトム衣類について、例をあげて説明する。ただし、本発明は、以下の例に限定および制限されない。
【００１１】
（第１の実施形態）
図１に、本発明のボトム衣類の第１の実施形態に係るショーツ１０００を示す。図１（ａ）は、ショーツ１０００の正面図、図１（ｂ）は、ショーツ１０００の背面図、図１（ｃ）は、図１（ｂ）に示す点線Ｚで囲む領域を平置きにした場合の拡大図を示す。図２（ａ）〜（ｃ）は、それぞれ、着用時における、図１のショーツ１０００の正面図、側面図、及び背面図を示す。図２（ｄ）は、着用時における、図１のショーツ１０００の上方向から見た正面斜視図を示す。図２（ｅ）は、着用時における、図１のショーツ１０００の下方向から見た側面斜視図を示す。尚、図２（ｄ）及び（ｅ）は、説明の便宜上、着用者を省略した図である。
【００１２】
図１及び図２に示すように、本実施形態のショーツ１０００は、ショートタイプのショーツである。ショーツ１０００は、本体領域１００と、補整領域２００と、一対の裾領域３００と、を含む。ここで、「一対の」とは、裾領域３００が、後述の後部分１１０の左右に配置されていることを表している。
【００１３】
本体領域１００は、図１及び図２に示すように、着用時において、臀部を覆う後部分１１０と、後部分１１０に向かい合う前部分１２０とで構成される。前部分１２０は、さらに、本体部１２１及びクロッチ部１２２から構成される。クロッチ部１２２とは、股部分に該当する領域をいう。本実施形態において、前部分１２０は、クロッチ部１２２を有するが、本発明において、クロッチ部１２２は、任意の構成要素である。
【００１４】
補整領域２００は、図２に示すように、着用時において、臀溝に沿うように配置されている。前記「臀溝に沿うように配置されている」とは、特に制限されないが、例えば、臀溝を覆うようにして配置されていることを含む。尚、衣類では、着用者の体型等により多少のずれが生じるため、補整領域２００が、必ずしも厳密に臀溝に沿うように配置されていなくても、裾のずれ上がりを抑制する効果は、極端に低下しない。また、補整領域２００は、図１（ｂ）に示すように、後中心線Ｌを折り返し位置として、略Ｖ字形状をしているが、本実施形態では、臀溝に沿うように配置されていれば、これに限定されず、補整領域２００の形状としては、例えば、略Ｕ字形状等であっても良い。
【００１５】
補整領域２００は、前記臀溝に沿う方向、及び、前記臀溝に沿う方向に略垂直な方向の双方に、伸縮可能である。前記「臀溝に沿う方向に略垂直な方向」とは、特に制限されないが、例えば、着用者による前屈、片脚上げ等の動作時における臀溝付近の皮膚が大きく伸長する方向をいい、実質的に臀溝に沿う方向と垂直でなくてよい。実質的に垂直でなくても、裾のずれ上がりを抑制する効果は、極端に低下しない。
【００１６】
一対の裾領域の各裾領域３００は、図１及び図２に示すように、着用時において、後裾周りを形成するように、補整領域２００の下方側に配置されている。前記後裾周りとは、例えば、着用時において、脚の付け根部分から少なくとも脇線Ｗまでの裾周りをいい、図１及び図２に示す各裾領域３００のように、脚の付け根部分から脇線Ｗよりも前側までの裾周りであっても良い。各裾領域３００は、例えば、図１及び図２に示すように、上辺Ｔ１及び下辺Ｔ２を含み、上辺Ｔ１は、補整領域２００及び各裾領域３００の境界線に相当する。
【００１７】
本実施形態のショーツ１０００は、本体領域１００、補整領域２００、及び一対の裾領域３００の各領域に対応する各部材が、それぞれ縫合されることにより、一体化されている。具体的には、例えば、図１及び図２に示すように、後部分１１０、補整領域２００、及び裾領域３００の各脇側端部が、前部分１２０の本体部１２１脇側端部と縫合されており、点線で囲む領域に図示するように、脇接ぎ辺Ｇを形成している。また、本体部１２１下辺が、クロッチ部１２２上辺と縫合されており、点線で囲む領域に図示するように、前マチ接ぎ辺Ｈを形成している。さらに、補整領域２００の後中心線Ｌ側端部及び各裾領域３００の後中心線Ｌ側端部が、クロッチ部１２２下辺と縫合されており、点線で囲む領域に図示するように、後マチ接ぎ辺ａを形成している。但し、本実施形態において、ショーツ１０００は、各部材が、図１及び図２に示すようにして縫合されることに限定されない。また、本実施形態のショーツは、このように、各部材を縫合することにより形成され、一体化されても良いし、後述するように、未縫合の一体化物において、各領域が形成されていても良い。
【００１８】
本実施形態のショーツ１０００は、前記両方向に伸縮可能な補整領域２００が、臀溝に沿って配置されている。これにより、補整領域２００は、例えば、前屈又は片脚上げ等の動作、姿勢の変化に付随する臀溝周辺の皮膚の伸縮に追随可能である。そして、本体領域１００及び一対の裾領域の各裾領域３００が、前記両方向に伸縮可能な補整領域２００を介して連結している。これにより、本体領域１００及び各裾領域３００が前記動作時の身頃の伸縮方向に合せて連動可能であり、各裾領域３００が、前記動作又は姿勢による変化前の位置から移動せず、各裾領域３００の位置が安定し、裾のずれ上がりを防止できる。そして、各裾領域３００に臀部が食い込み、段差が生じることを抑制し、本体領域１００で臀部をしっかりと支持しているため、ヒップアップ効果を得ることができる。
【００１９】
また、本実施形態のショーツ１０００は、前記各領域が、一体化されている。このため、ショーツ１０００は、一般的なショーツと比較しても、外観上違和感がない。また、ショーツ１０００を着用する場合に、裾のずれ上がりを防止するために、着用者が、着用時において位置の調整等の特別な操作を必要とせず、また着用における説明も必要とせず、一般的なショーツと同様にして着用する事が出来る。
【００２０】
以下では、図３及び図４を用いて、本実施形態のショーツ１０００を着用した場合の、前屈時及び片脚上げ時のショーツ１０００の作用について説明する。図３（ａ）は、前屈時の臀溝周辺の動きを示す図であり、図３（ｂ）は、ショーツ１０００を着用した場合の前屈時の補整領域２００の動きを示す図である。図４（ａ）は、片脚上げ時の臀溝周辺の動きを示す図であり、図４（ｂ）は、ショーツ１０００を着用した場合の片脚上げ時の補整領域２００の動きを示す図である。
【００２１】
まず、前屈時におけるショーツ１０００の作用について、図３を用いて説明する。図３（ａ）に示すように、前屈時には、臀溝周辺の皮膚は、図３（ａ）中の矢印方向に著しく伸びる。前記臀溝に沿うように配置された補整領域２００は、臀溝に沿う方向に略垂直な方向に、伸縮可能であるため、臀溝周辺の皮膚の伸縮に追随することができる。そして、本体領域１００及び各裾領域３００は、補整領域２００と連結している。これにより、本体領域１００及び各裾領域３００は、前記前屈時の動作時において、身頃の伸縮方向に合せて連動することができる。
【００２２】
次に、片脚上げ時におけるショーツ１０００の作用について、図４を用いて説明する。図４（ａ）に示すように、片脚上げ時には、臀溝周辺の皮膚は、図４（ａ）中の矢印方向で示すように、脚を上げた方向に伸びるとともに、臀部縦方向にも伸びる。補正領域２００は、前記両方向に伸縮可能であるために、この皮膚の動きに追随する事ができる。そして、本体領域１００及び各裾領域３００は、補整領域２００と連結しているため、本体領域１００及び各裾領域３００は、前記片脚上げ時の動作時においても、前記前屈時の動作同様に、身頃の伸縮方向に合せて連動することができる。
【００２３】
このようにして、本実施形態のショーツ１０００を着用した場合、前記動作のいずれにおいても、裾のずれ上がりを防止可能であり、ヒップアップ効果を得ることができる。
【００２４】
本実施形態において、一対の裾領域の各裾領域３００は、例えば、図１及び図２に示すように、上辺Ｔ１及び下辺Ｔ２を含み、上辺Ｔ１の後中心線Ｌ側端点Ｐと、下辺Ｔ２の後中心線Ｌ側端点Ｑとが、一致していない。すなわち、端点Ｐと端点Ｑとは、非接触であって、一定の距離をもって離れた位置にある。これにより、脚の付け根側の裾部分を十分に確保できるため、好ましい。脚の付け根側の裾部分が十分に確保されることにより、脚をしっかりとホールドし、裾の位置が安定するとともに、脚の付け根側から裾のずれ上がりを十分に防止する事が出来る。
【００２５】
本実施形態において、ショーツのサイズは、特に制限されない。また、各領域の大きさ及び形状は、特に制限されないが、例えば、以下のような条件が例示できる。下記条件は、特に制限されないが、ショーツのサイズが、例えば、Ｍサイズ若しくはＬサイズの場合に好ましい。
【００２６】
本実施形態において、着用時における、後中心線Ｌと後マチ接ぎ辺ａとの交点Ｏから端点Ｑまでの長さａ１に対する、端点Ｐから端点Ｑまでの長さａ２の比率（ａ２／ａ１）の範囲は、ショーツ１０００の場合、例えば、０．１５≦ａ２／ａ１≦０．２５である。前記範囲は、脚をしっかりとホールドし、裾の位置が安定するとともに、脚の付け根側の裾部分を確保し、裾のずれ上がりを防止する観点から好ましい。
【００２７】
本実施形態において、各裾領域３００の下辺Ｔ２は、例えば、図１及び図２に示すように、外側に向かって、凸状となるカーブを含む。そして、着用時において、図２（ｅ）に示すように、上辺Ｔ１の全長ｂに対する、下辺Ｔ２の後中心線Ｌ側端点Ｑと、前記カーブの最大突出点Ｒとの距離Ｘの比率（Ｘ／ｂ）が、例えば、下記（１）の条件を満たす。下辺Ｔ２において、前記比率の範囲内に相当する部分は、例えば、前屈等の動作をした場合に、ショーツから一番はみ出しやすい（ずれやすい）部分に相当する。このため、前記範囲は、前記部分を確実にショーツにより覆うために、最大突出点Ｒを前記範囲内の部分に位置する観点から好ましい。
（１）  ０．３５≦Ｘ／ｂ≦０．４０
【００２８】
前述の通り、下辺Ｔ２の後中心線Ｌ側端点Ｑと、前記カーブの最大突出点Ｒとの距離Ｘの好ましい範囲を、前記比率（Ｘ／ｂ）により規定しているが、実寸法（例えば、平置き等）においては、ショーツ１０００は、前記最大突出点Ｒの位置が、上辺Ｔ２の後中心線Ｌ側端点Ｑを起点として６．５〜７．５ｃｍであることが好ましい。
【００２９】
本実施形態において、各裾領域３００は、着用時において、上辺Ｔ１の全長ｂに対する、前記カーブの最大突出点Ｒにおける上辺Ｔ１への短手方向の長さＹの比率（Ｙ／ｂ）が、下記（２）の条件を満たしていることが好ましい。尚、上辺Ｔ１への短手方向とは、最大突出点Ｒから上辺Ｔ１に対して引いた垂線をいう。前記比率Ｙ／ｂが、０．１０以上であれば、各裾領域３００が、前記動作時において、身頃の伸縮方向に合せて本体領域１００と連動し易くなるため、好ましい。また、前記比率Ｙ／ｂが、０．１５以下であれば、前記動作時において、各裾領域先端がめくれ、だぶりが発生しにくくなるため、好ましい。
（２）  ０．１０≦Ｙ／ｂ≦０．１５
【００３０】
前述の通り、最大突出点Ｒにおける前記短手方向の長さＹの好ましい範囲を、前記比率（Ｙ／ｂ）により規定しているが、実寸法（例えば、平置き等）においては、ショーツ１０００は、前記長さＹが、３．０〜４．０ｃｍであることが好ましい。
【００３１】
本実施形態において、図１（ｃ）に示すように、端点Ｑを中心点として、後マチ接ぎ辺ａの延長線上と、下辺Ｔ２の端点Ｑ上の接線とのなす角θは、平置き時において、好ましくは、６５〜７５°である。前記θが、６５°以上であれば、脚部付け根に生地がたまりにくくなり、快適な着用感が得られる。また、前記θが、７５°以下であれば、前記身頃の伸縮方向に合せて本体領域１００と連動するための裾領域を十分に確保できるため、裾のずれ上がりを効率良く防止することができる。
【００３２】
本実施形態において、補整領域２００の前側端部Ｍは、例えば、図１及び図２に示すように、着用時において、脇線Ｗよりも前側に位置している。このように、前側端部Ｍが、脇線Ｗより前側に位置していることにより、前記動作時における、臀溝周辺の皮膚の伸縮において、伸縮の支点として機能し易くなるため、好ましい。尚、本実施形態でのショーツ１０００では、前側端部Ｍは、脇接ぎ辺Ｇ上に位置しているが、これに限定されず、例えば、本体領域１００の前部分１２０に位置していても良い。
【００３３】
本実施形態において、図２（ｄ）に示すように、着用時において、ショーツ上端の周における、前頭点Ｕから、前記ショーツ上端の周と前中心線Ｓとの交点Ｋまでの長さｃ１に対する、前頭点Ｕから補整領域２００の前側端部Ｍの延長線とショーツ上端の周との交点Ｊまでの長さｃ２の比率（ｃ２／ｃ１）の範囲は、例えば、０＜ｃ２／ｃ１≦０．４５であり、好ましくは、０＜ｃ２／ｃ１≦０．２５である。尚、前頭点とは、着用時において、ショーツ１０００が、前頭（体を前後に分け、垂直に走る線）と交わる点をいう。前記比率が、０よりも大きければ、補整領域の面積を十分に確保することができるため、安定して裾のずれ上がりを防止でき、好ましい。前記比率が、０．４５以下であれば、前記伸縮の支点として機能する時に、鼠蹊部への負担が抑えられ、不快感のない着用感が得られる。前記比率が、さらに、０．２５以下であれば、鼠蹊部の負担及び裾のずれ上がりをバランス良く抑制可能である。
【００３４】
本実施形態において、ショーツ１０００は、補整領域２００及び各裾領域３００の接ぎ箇所にダーツをとることにより、立体設計とすることが好ましい。
【００３５】
本実施形態において、後マチ接ぎ辺ａは、一般的なショーツよりも大きくすることが好ましい。具体的には、後中心線Ｌと後マチ接ぎ辺ａとの交点Ｏから端点Ｑまでの長さａ１が、Ｍサイズであれば、８ｃｍ以上であり、Ｌサイズであれば、８．５ｃｍ以上であることが好ましい。
【００３６】
本実施形態において、補整領域２００の短手方向の長さは、特に制限されないが、好ましくは、５．５ｃｍ〜８．０ｃｍである。補整領域２００の短手方向の長さが、５．５ｃｍ以上であれば、補整領域２００が、前記動作時等の臀部の伸びに十分に追随することが可能であり、前記短手方向の長さが、８．０ｃｍ以下であれば、補整領域２００の分量（面積）を押さえることにより、体をホールドする役割を果たす本体領域１００及び各裾領域３００の分量（面積）を十分に確保できるため、それぞれの位置で安定する。
【００３７】
補整領域２００の形成材料としては、前記両方向に伸縮性を有する部材であれば、特に制限されず、例えば、編地等の生地があげられる。前記編地は、例えば、網目が横方向に連続した緯編み（「横編み」ともいう）でもよいし、前記網目が縦方向に連続した経編み（「縦編み」ともいう）でもよい。前記形成材料の具体例は、例えば、縦編素材であるメッシュパワーネット、柄パワーネット、ラッセルレース、ダブルラッセル、ストレッチテープ等が挙げられる。
【００３８】
本体領域１００の形成部材としては、特に制限されず、一般的なショーツに使用する素材（生地）が挙げられる。具体的な形成部材としては、例えば、本体領域１００の水平方向に伸縮性を有する部材（例えば、編地）が挙げられ、前記編地は、例えば、前記網目が横方向に連続した緯編み（「横編み」ともいう）でもよいし、前記網目が縦方向に連続した経編み（「縦編み」ともいう）でもよい。前記形成材料の具体例は、例えば、ベア天竺、丸編み等の伸縮性を有する部材、パワーネット、トリコット、レース、生地端が始末不要のいわゆるフラット仕様素材等が挙げられる。本体領域１００の本体部１２１と、クロッチ部１２２とは、異なる形成部材で形成されていても良く、例えば、本体部１２１の形成部材として、伸縮性を有する部材を用いて、クロッチ部１２２の形成部材として、伸縮性を有していない部材又は難伸縮性部材を用いても良い。
【００３９】
各裾領域３００の形成材料としては、特に制限されない。前記形成材料は、例えば、各領域に対応する各部材の伸縮バランスが適するように、本体領域１００と異なる部材を使用しても良いが、本体領域１００と同一の部材を使用する事が好ましい。また、各裾領域３００は、図１及び図２で示すようなフラット仕様素材に限定されず、例えば、テープ仕様又はレース仕様であっても良い。
【００４０】
本実施形態において、例えば、図５のショーツ２０００に示すように、補整領域２００の形成部材としてレース部材を用い、さらにプリーツ構造としても良い。同図に示すショーツ２０００の補整領域２００では、補整領域の上辺及び下辺と略平行になるように、複数のプリーツ２１０が所定の間隔をおいて配置されている。このように、複数のプリーツ２１０を配置することにより、臀溝に沿う方向だけでなく臀溝に沿う方向に略垂直方向に好適に伸縮することが可能となる。尚、同図のショーツ２０００は、補整領域２００が、前記プリーツ構造を備えたレース部材で形成されていること以外は、図１のショーツ１０００と同一である。
【００４１】
本実施形態におけるショーツは、未縫合の一体化物を用いて、各領域が形成されていても良い。具体的には、例えば、各領域の形成部材が、レース部材であって、各裾領域が、レース仕様であっても良い。
【００４２】
以下において、本実施形態の補整領域２００に用いられる部材に関し、好適な特性として、縦方向伸長性及び横方向伸長性を説明し、本体領域１００及び各裾領域３００に用いられる部材に関し、好適な特性として、伸長回復率を説明する。以下において、各方向の伸長性及び伸長回復率の測定方法は、次の通りである。前記縦方向と前記横方向とは、略垂直に直交する方向であり、本実施形態において、これらの用語は、直交方向を説明するために、便宜的に使用するものである。補整領域２００について、前記縦方向とは、ボトム衣類（製品）における短手方向、つまり図１（ｂ）における短手方向Ｌ１をいい、前述した着用時における前記臀溝に沿う方向に略垂直な方向に対応する。また、前記横方向とは、ボトム衣類（製品）における長手方向、つまり図１（ｂ）における長手方向Ｌ２をいい、前述した着用時における前記臀溝に沿う方向に対応する。また、本体領域および各裾領域について、前記縦方向とは、ボトム衣類におけるウエスト方向に略垂直の体軸方向、つまり図１（ａ）における前中心線Ｓまたは図１（ｂ）における後中心線Ｌと平行方向をいい、前記横方向とは、ボトム衣類（製品）における前記ウエスト方向、つまり図１（ａ）における前中心線Ｓまたは図１（ｂ）における後中心線Ｌと垂直方向をいう。
【００４３】
本実施形態において、補整領域２００の臀溝に沿う方向に対する伸縮率は、前記横方向（Ｌ２方向）の伸長性に対応し、補整領域２００の臀溝に沿う方向に略垂直な方向に対する伸縮率は、前記縦方向（Ｌ１方向）の伸長性に対応する。
【００４４】
本実施形態において、本体領域１００に用いられる部材は、特に制限されず、例えば、前述のような素材が使用できる。前記素材が編地の場合、例えば、経編み（縦編み）の編地でも、緯編（横編み）の編地でもよいが、前者の経編みが好ましく、その経方向（網目方向）が、ウエスト方向と略一致するように配置することが好ましい。このように配置することで、例えば、ウエスト方向のキックバックを大きくし、ウエスト方向に直交する方向を、伸びやすくふんわりした感触とすることができる。
【００４５】
本実施形態において、各裾領域３００に用いられる部材は、特に制限されず、例えば、前述のように、本体領域と同一の部材を使用することが好ましい。前記素材が編地の場合、例えば、経編み（縦編み）の編地が好ましく、その経方向（網目方向）が、ウエスト方向と略一致するように配置することが好ましい。
【００４６】
［縦方向伸長性］
縦方向伸長性は、次の引っ張り試験を行って測定する。補整領域２００の縦方向伸長性は、例えば、短手方向（Ｌ１方向）の伸長性ともいえる。補整領域２００の素材を、縦方向（Ｌ１方向）の長さ（幅）４．０ｃｍ及び横方向（Ｌ２方向）の長さ２．５ｃｍにカットし、試験片とする。
【００４７】
前記試験片の縦方向の両端に、チャックでつかむためのつかみ代を縫い付ける。そして、前記試験片の縦方向長さ（４．０ｃｍ）を上下方向に向けて、上下に縫い付けたつかみ代も含めて前記試験片の上下両端を引張試験機のチャックでつかむ。縦方向における上部のつかみ長さを２．５ｃｍ、縦方向における下部のつかみ長さを３．５ｃｍとし、試験長（上部と下部のチャック間の試験片の長さ）を４．０ｃｍとして、定速伸長形引張試験機（島津製作所製”オートグラフ”ＡＧ−５００Ｄ）に取り付け、３０±２ｃｍ／分の速度で、上下方向に試験片を引っ張る。応力が２．２５ｋｇｆ（２２．１Ｎ）となるまで引っ張り、１．０ｋｇｆ（９．８Ｎ）時の伸び又は１．５０ｋｇｆ（１４．７Ｎ）時の伸びを測定し、それぞれを、本発明での１ｋｇｆ荷重時における縦方向伸長性、１．５０ｋｇｆ荷重時における縦方向伸長性とする。
【００４８】
縦方向伸長性は、下記式で表される。尚、縦方向伸長性のデータは、試験片２つの平均値とする。
【００４９】
［数１］
伸長性（％）  ＝  ［（ｂ−ａ）／ａ］×１００（％）
ａ：伸長前の試験片の長さ（伸長前の上部と下部のチャック間の試験片の長さ）
ｂ：伸長後の試験片の長さ（伸長後の上部と下部のチャック間の試験片の長さ）
【００５０】
［横方向伸長性］
横方向伸長性は、次の引っ張り試験を行って測定する。補整領域２００の横方向伸長性は、例えば、長手方向（Ｌ２方向）の伸長性ともいえる。補整領域２００の素材を、横方向（Ｌ２方向）の長さ１６．０ｃｍ及び縦方向（Ｌ１方向）の長さ（幅）２．５ｃｍにカットし、試験片とする。
【００５１】
前記試験片の横方向長さ（１０．０ｃｍ）を上下方向に向けて、その両端を引張試験機のチャックでつかむ。横方向における上部のつかみ長さを２．５ｃｍ、横方向における下部のつかみ長さを３．５ｃｍとし、試験長（上部と下部のチャック間の試験片の長さ）を１０．０ｃｍとして、前記定速伸長形引張試験機に取り付け、前述の縦方向伸縮性試験と同様にして、１．０ｋｇｆ時の伸び又は１．５０ｋｇｆ時の伸びを測定し、それぞれを、本発明での１．０ｋｇｆ荷重時における横方向伸長性、１．５０ｋｇｆ荷重時における横方向伸長性とする。
【００５２】
横方向伸長性は、前記［数１］により表される。
【００５３】
尚、横方向伸長性のデータもまた、試験片２つの平均値とする。
【００５４】
尚、１．０ｋｇｆ〜１．５ｋｇｆの荷重は、前記動作中において補整領域に加わる荷重に相当する。
【００５５】
［伸長回復率］
次に、伸長回復率の測定法を説明する。本体領域１００および各裾領域３００の素材は、それぞれ、ウエスト方向の伸長回復率を測定する。補整領域２００の素材に代えて、本体領域１００又は各裾領域３００の素材を用い、試験片を調製する。具体的に、本体領域１００の素材および各裾領域３００の素材は、それぞれ、ウエスト方向の長さ１０．０ｃｍ及びウエスト方向に略垂直方向の長さ２．５ｃｍにカットし、試験片とする。そして、これらの試験片を使用すること以外は、上記の縦方向伸長性試験と同様にして、前記試験片を、１０．０ｃｍの長さが上下方向となるように向け、前記定速伸長形引張試験機に取り付け、３０±２ｃｍ／分の速度で試験片を伸度８０％となるまで引っ張る。ここで伸度とは、上記数式［１］の伸長性の式により計算できる。伸度８０％を、設定伸度：Ｌとする。すなわち、ここでは、Ｌ＝８０である。伸度８０％までの引っ張りを３回繰り返す。伸度８０％までの引っ張りを３回繰り返した後、試験片にかかる応力を取り去ると、試験片が元の長さに戻ろうとするが、徐重して０Ｎ（０ｋｇｆ）になった時の残留伸度（％）を測定し、これをＬ０とする。３回の引っ張り試験の後、試験片に残留伸びが生じ、通常、引っ張り方向の長さが元の長さよりも長くなる。回復率は、下記数式により算出する。
【００５６】
［数２］
回復率（％）  ＝  ［（Ｌ−Ｌ０）／Ｌ］×１００
【００５７】
尚、残留伸度Ｌ０（％）は、下記数式で表される。
【００５８】
［数３］
残留伸度Ｌ０（％）  ＝  ［（ｄ−ｃ）／ｃ］×１００
ｃ：伸長前の試験片の長さ（伸長前の上部と下部のチャック間の試験片の長さ）
ｄ：伸長後の除重時の試験片の長さ［除重して０Ｎ（０ｋｇｆ）になった時の上部と下部のチャック間の試験片の長さ］
【００５９】
本実施形態の補整領域に用いられる部材において、１．００ｋｇｆ荷重時における縦方向伸長性の範囲は、例えば、３５〜１５０％、又は１．５０ｋｇｆ荷重時における縦方向伸長性の範囲が、４０〜１８５％である。前記範囲は、皮膚の伸縮率の大きい部分に前記補整領域を、前記臀溝に沿う方向と略垂直な方向に十分に追随する上で好ましい。さらに好ましくは、１．００ｋｇｆ荷重時における縦方向伸長性の範囲は、７０〜８０％であり、１．５０ｋｇｆ荷重時における縦方向伸長性の範囲は、８０〜９０％である。前記範囲は、各裾領域の安定性及びヒップの造形性をバランス良く向上するための観点から好ましい。
【００６０】
本実施形態の補整領域に用いられる部材において、１．００ｋｇｆ荷重時における横方向伸長性の範囲は、例えば、７５〜１００％、又は１．５０ｋｇｆ荷重時における横方向伸長性の範囲が、９０〜１１０％である。前記範囲は、皮膚の伸縮率の大きい部分に前記補整領域を、前記臀溝に沿う方向に十分に追随する上で好ましい。さらに好ましくは、１．００ｋｇｆ荷重時における横方向伸長性の範囲は、８０〜９５％であり、１．５０ｋｇｆ荷重時における横方向伸長性の範囲が９５〜１０５％である。前記範囲は、各裾領域の安定性及びヒップの造形性をバランス良く向上するための観点から好ましい。
【００６１】
前記範囲は、例えば、一般的なレース部材であれば、柄が密な領域であっても、満たし得る範囲である。
【００６２】
本実施形態の本体領域及び／又は各裾領域に用いられる部材において、伸長回復率の範囲は、例えば、７０〜１００％である。前記範囲は、前記前屈時等の動作時において、臀部及び脚回りをホールドする上で好ましい。さらに好ましくは、前記範囲は、８０〜９０％である。前記伸長回復率が８０％以上であれば、本体領域及び裾領域が、各領域が配置した部位を十分にホールドでき、前記伸長回復率が９０％以下であれば、心地よい着用感を得ることができるため、好ましい。尚、前記本体領域において、身幅方向（ウエストと平行な方向）に伸長回復性が高くなるように素材を配置することが好ましい。
【００６３】
前記範囲は、例えば、一般的な前記フラット仕様素材であれば、満たし得る範囲である。
【００６４】
（第１の実施形態のショーツの着用評価）
図６は、着用評価における臀部の状態を示す図である。同図（ａ）〜（ｃ）の上側は、ショーツ着用直後の立位時の側面図及び背面図である。同図（ａ）のショーツは、本発明の図５のショーツ２０００である。同図（ｂ）のショーツは、各裾領域を備えていないこと以外は、ショーツ２０００と同一である。尚、同図（ａ）及び（ｂ）では、プリーツ構造の図示は省略している。同図（ｃ）のショーツは、臀溝付近にレース部材が配置されたバックレースのショーツである。同図（ｂ）は、本発明のように、裾領域を有しておらず、同図（ｃ）の前記レース部材は、臀溝に沿う方向及び前記臀溝に沿う方向に略垂直な方向の双方向に伸縮可能ではない。
【００６５】
同図（ａ）のショーツは、補整領域２００がプリーツ構造を有するレース部材から形成されている。また、クロッチ部１２２を除く本体領域１００、及び各裾領域３００が、伸縮性を有する前記フラット仕様素材から形成されている。同図（ａ）のショーツの補整領域２００のレース部材の１．００ｋｇｆ荷重時における縦方向（Ｌ１方向）伸長性は、７６％であり、１．５０ｋｇｆ荷重時における横方向（Ｌ２方向）伸長性は、８７％である。また、同図（ａ）のショーツの本体領域１００及び各裾領域３００の前記フラット仕様素材の回復率は、８８％である。尚、各伸長性及び回復率は、前述の測定方法に基づいて測定された値である。
【００６６】
各図（ａ）〜（ｃ）は、それぞれ、上側の２つは、着用直後の立位時の図を示し、下側は、屈伸を３回行った後の立位時の図を示す。同図（ｃ）に示すショーツでは、前記屈伸によって、ずれあがった裾部分が臀部に食い込み段差が生じている。同図（ｂ）に示すショーツでは、同図（ｃ）に示すショーツ程ではないが、ずれあがった裾部分が臀部に食い込み段差が生じている。これに対し、本発明のショーツは、同図（ｂ）及び（ｃ）に示すショーツと比較して、裾部分がずれ上がっていない。このように、本発明のショーツは、裾領域がずれ上がらず、臀部に段差が生じていない。
【００６７】
以上、実施形態の具体例として、ショーツをあげて本発明を説明したが、本発明のボトム衣類は、これらの具体例で記載されたもののみに限定されるものではなく、太ももの付け根を超えて丈がある、いわゆる一分丈ショーツ等のボトム部を有する衣類、ガードル等の補正ボトム等に適用できる。
【産業上の利用可能性】
【００６８】
本発明のボトム衣類は、種々の態様が可能である。例えば、上記の実施形態のようなファンデーション衣類以外にも、スポーツ衣類、アウター等、各種のボトム部を有する衣類に適用できる。
【符号の説明】
【００６９】
１００    本体領域
１１０    後部分
１２０    前部分
１２１    本体部
１２２    クロッチ部
２００    補整領域
２１０    プリーツ
３００    裾領域
１０００、２０００  ショーツ
ａ        後マチ接ぎ辺
ａ１      後中心線と後マチ接ぎ辺との交点から端点までの長さ
ａ２      端点から端点までの長さ
ｃ１      ショーツ上端の周における、前頭点から、ショーツ上端の周と前中心線との交点までの長さ
ｃ２      前頭点から補整領域の前側端部の延長線とショーツ上端の周との交点までの長さ
ｂ        上辺の全長
Ｇ        脇接ぎ辺
Ｈ        前マチ接ぎ辺
Ｊ        補整領域の前側端部の延長線とショーツ上端の周との交点
Ｋ        ショーツ上端の周と前中心線との交点
Ｌ        後中心線
Ｌ１      短手方向
Ｌ２      長手方向
Ｍ        補整領域の前側端部
Ｏ        後中心線と後マチ接ぎ辺との交点
Ｐ        上辺の後中心線側端点
Ｑ        下辺の後中心線側端点
Ｒ        最大突出点
Ｓ        前中心線
Ｔ１      上辺
Ｔ２      下辺
Ｕ        前頭点
Ｘ        下辺の後中心線側端点と、カーブの最大突出点との距離
Ｙ        カーブの最大突出点における上辺への短手方向の長さ
Ｗ        脇線
Ｚ        点線
θ        端点を中心点として、後マチ接ぎ辺の延長線上と、下辺Ｔ２の端点Ｑ上の接線とのなす角
【図１】
2016094675.tif 000003
【図２】
2016094675.tif 000004
【図３】
2016094675.tif 000005
【図４】
2016094675.tif 000006
【図５】
2016094675.tif 000007
【図６】
2016094675.tif 000008
【図７】
2016094675.tif 000009